(57)【要約】【課題】特定の時間帯を有効に利用して効果的なコンテンツの出力を可能とする。【解決手段】デジタルサイネージ装置１によれば、制御部２３は、自動起動直後ｍ分間の第一時間帯が到来すると、第一時間帯に出力するコンテンツを所定の第一条件に基づいたコンテンツに決定し、決定したコンテンツを画像形成部２７により出力させる。第二時間帯が到来すると、通常時間帯用コンテンツを画像形成部２７により出力させる。自動シャットダウン直前ｎ分間の第三時間帯が到来すると、制御部２３は、第三時間帯に出力するコンテンツを第一条件とは異なる第二条件に基づいたコンテンツに決定し、決定したコンテンツを画像形成部２７により出力させる。【選択図】図４
2016063384.tif 000002
【特許請求の範囲】
【請求項１】
予め定められた第一時間帯と、前記第一時間帯よりも後の予め定められた第三時間帯と、前記第一時間帯と前記第三時間帯の間の第二時間帯と、からなる時間帯にコンテンツを出力する出力手段と、
前記第一時間帯に出力するコンテンツを所定の第一条件に基づいたコンテンツに決定する第一決定手段と、
前記第三時間帯に出力するコンテンツを前記第一条件とは異なる第二条件に基づいたコンテンツに決定する第二決定手段と、
前記第一決定手段による決定及び前記第二決定手段による決定に基づいて、前記出力手段により出力するコンテンツを制御する制御手段と、
を備えるコンテンツ出力装置。
【請求項２】
前記第一条件に基づいたコンテンツは、前日の前記第一時間帯から前記第三時間帯までの時間帯における売上情報に基づくコンテンツであり、
前記第二条件に基づいたコンテンツは、当日の前記第一時間帯から前記第二時間帯までの時間帯における売上情報に基づくコンテンツである請求項１に記載のコンテンツ出力装置。
【請求項３】
前記第一条件に基づいたコンテンツは、前日の前記第一時間帯から前記第三時間帯までの時間帯における売上が上位から所定数の商品に係るコンテンツであり、
前記第二条件に基づいたコンテンツは、当日の前記第一時間帯から前記第二時間帯までの時間帯における売上が売上目標より低い商品に係るコンテンツである、請求項２に記載のコンテンツ出力装置。
【請求項４】
前記第一時間帯は、前記コンテンツ出力装置の起動直後の予め定められた時間であり、前記第三時間帯は、前記コンテンツ出力装置のシャットダウン直前の予め定められた時間であり、前記第二時間は、前記第一時間帯と前記第二時間帯の間の時間である請求項１〜３の何れか一項に記載のコンテンツ出力装置。
【請求項５】
予め定められた第一時間帯と、前記第一時間帯よりも後の予め定められた第三時間帯と、前記第一時間帯と前記第三時間帯の間の第二時間帯と、からなる時間帯にコンテンツを出力する出力手段に対するコンテンツ出力制御方法であって、
前記第一時間帯に出力するコンテンツを所定の第一条件に基づいたコンテンツに決定する工程と、
前記出力手段において前記第三時間帯に出力するコンテンツを前記第一条件とは異なる第二条件に基づいたコンテンツに決定する工程と、
前記第一決定手段による決定及び前記第二決定手段による決定に基づいて、前記出力手段により出力するコンテンツを制御する工程と、
を含むコンテンツ出力制御方法。
【請求項６】
コンピュータを、
予め定められた第一時間帯と、前記第一時間帯よりも後の予め定められた第三時間帯と、前記第一時間帯と前記第三時間帯の間の第二時間帯と、からなる時間帯にコンテンツを出力する出力手段、
前記第一時間帯に出力するコンテンツを所定の第一条件に基づいたコンテンツに決定する第一決定手段、
前記第三時間帯に出力するコンテンツを前記第一条件とは異なる第二条件に基づいたコンテンツに決定する第二決定手段、
前記第一決定手段による決定及び前記第二決定手段による決定に基づいて、前記出力手段により出力するコンテンツを制御する制御手段、
として機能させるためのプログラム。
【発明の詳細な説明】
【技術分野】
【０００１】
本発明は、コンテンツ出力装置、コンテンツ出力制御方法、及びプログラムに関する。
【背景技術】
【０００２】
従来、映像供給装置に接続される映像出力装置と、反射部材と、スクリーンとを有し、映像出力装置からコンテンツを投影する出力光を反射部材によって反射し、この反射部材によって反射された出力光を当該コンテンツの輪郭の形状に形成されたスクリーンに投影することにより、閲覧者に対して印象を高めることができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
ところで、例えば、装置起動直後やシャットダウン直前は、営業時間の始まりや終わりに相当し、他の時間とは違う重みのある時間帯であると考えられる。しかしながら、特許文献１に記載の技術においては、時間帯を考慮した効果的なコンテンツの出力は行われていなかった。
【０００５】
本発明の課題は、特定の時間帯を有効に利用して効果的なコンテンツの出力を可能とすることである。
【課題を解決するための手段】
【０００６】
上記課題を解決するため、請求項１に記載の発明のコンテンツ出力装置は、
予め定められた第一時間帯と、前記第一時間帯よりも後の予め定められた第三時間帯と、前記第一時間帯と前記第三時間帯の間の第二時間帯と、からなる時間帯にコンテンツを出力する出力手段と、
前記第一時間帯に出力するコンテンツを所定の第一条件に基づいたコンテンツに決定する第一決定手段と、
前記第三時間帯に出力するコンテンツを前記第一条件とは異なる第二条件に基づいたコンテンツに決定する第二決定手段と、
前記第一決定手段による決定及び前記第二決定手段による決定に基づいて、前記出力手段により出力するコンテンツを制御する制御手段と、
を備える。
【発明の効果】
【０００７】
本発明によれば、特定の時間帯を有効に利用した効果的なコンテンツの出力が可能となる。
【図面の簡単な説明】
【０００８】
【図１】本実施形態におけるコンテンツ出力システムの全体構成例を示す図である。
【図２】図１のデジタルサイネージ装置の機能的構成を示すブロック図である。
【図３】図２のスクリーン部の概略構成を示す図である。
【図４】図２の制御部により実行されるコンテンツ出力制御処理を示すフローチャートである。
【発明を実施するための形態】
【０００９】
以下、添付図面を参照して本発明に係る好適な実施形態を詳細に説明する。以下の実施形態では、本発明に係るコンテンツ出力装置をデジタルサイネージ装置１に適用した場合を例にとり説明する。なお、本発明は、図示例に限定されるものではない。
【００１０】
［コンテンツ出力システム１００の構成］
図１は、本発明の実施形態におけるコンテンツ出力システム１００の全体構成を示す図である。コンテンツ出力システム１００は、例えば、店舗に設けられたシステムであり、図１に示すように、店舗に設けられたデジタルサイネージ装置１と、サーバ装置２とを備えて構成されている。デジタルサイネージ装置１とサーバ装置２は、ＬＡＮ（Local Area Network）、ＷＡＮ（Wide Area Network）等の通信ネットワークＮを介して通信接続可能に構成されている。なお、デジタルサイネージ装置１の台数は特に限定されない。
【００１１】
［デジタルサイネージ装置１の構成］
図２は、デジタルサイネージ装置１の主制御構成を示すブロック図である。
デジタルサイネージ装置１は、店舗で取り扱う商品に係るコンテンツを出力する装置であり、図２に示すように、コンテンツの映像光を照射する投影部２１と、投影部２１から照射された映像光を背面で受けて前面に投影するスクリーン部２２とを備えている。
【００１２】
まず、投影部２１について説明する。
投影部２１は、制御部２３と、プロジェクタ２４と、記憶部２５と、通信部２６と、計時部３０と、を備えている。プロジェクタ２４、記憶部２５、通信部２６、計時部３０は、図２に示すように制御部２３に接続されている。
【００１３】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラムとの協働により、後述するコンテンツ出力制御処理を実行することにより、第一決定手段、第二決定手段、制御手段として機能する。
【００１４】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００１５】
記憶部２５は、ＨＤＤ（Hard Disk Drive）や不揮発性の半導体メモリ等により構成される。記憶部２５には、図２に示すように、プログラム記憶部２５１が設けられている。プログラム記憶部２５１には、制御部２３で実行されるシステムプログラムや、後述するコンテンツ出力制御処理を始めとする各種処理を実行するための処理プログラム、これらのプログラムの実行に必要なデータ等が記憶されている。
【００１６】
また、記憶部２５には、自動起動時刻記憶部２５２、自動シャットダウン時刻記憶部２５３が設けられている。
【００１７】
自動起動時刻記憶部２５２には、操作部３２により、或いは通信部２６を介してサーバ装置２により設定された、デジタルサイネージ装置１の自動起動時刻が設定（記憶）されている。
自動シャットダウン時刻記憶部２５３には、操作部３２により、或いは通信部２６を介してサーバ装置２により設定された、デジタルサイネージ装置１の自動シャットダウン時刻が設定（記憶）されている。
【００１８】
ここで、デジタルサイネージ装置１は、自動起動時刻記憶部２５２に設定されている自動起動時刻に自動的に起動し、自動シャットダウン時刻記憶部２５３に設定されている自動シャットダウン時刻に自動的にシャットダウンするように構成されている。
【００１９】
通信部２６は、モデム、ルータ、ネットワークカード等により構成され、通信ネットワークＮに接続された外部機器との通信を行う。
【００２０】
計時部３０は、ＲＴＣ（Real Time Clock）等により構成され、現在時刻を取得して制御部２３に出力する。
【００２１】
次に、スクリーン部２２について説明する。
図３は、スクリーン部２２の概略構成を示す正面図である。図３に示すようにスクリーン部２２には、画像形成部２７と、画像形成部２７を支持する台座２８とが備えられている。
【００２２】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。この画像形成部２７と前述したプロジェクタ２４とにより出力手段を構成している。
【００２３】
台座２８には、ボタン式の操作部３２と、音声を出力するスピーカなどの音声出力部３３と、が設けられている。
【００２４】
操作部３２は、複数の操作ボタンを備え、操作ボタンの押下信号を検出して制御部２３に出力する。操作部３２の操作により、デジタルサイネージ装置１の自動起動時間、自動シャットダウン時間を設定することができる。
【００２５】
操作部３２、音声出力部３３は、図２に示すように制御部２３に接続されている。
【００２６】
［サーバ装置２の構成］
サーバ装置２は、図示しないＥＣＲ（Electronic Cash Resister：電子式金銭登録機）と接続されており、店舗の商品毎の売上情報をＥＣＲから取得して、売上情報を集計するコンピュータ装置である。
サーバ装置２は、また、デジタルサイネージ装置１で再生するコンテンツのデータを記憶する記憶手段を備え、通信ネットワークＮを介してデジタルサイネージ装置１にコンテンツデータを送信する。記憶手段には、例えば、デジタルサイネージ装置１での再生用に予め定め用意されたコンテンツ（通常時間帯用コンテンツと呼ぶ）のデータ、及び商品毎の宣伝コンテンツのデータが記憶されている。コンテンツデータは、例えば、複数のフレーム画像により構成される動画データ及び各フレーム画像に対応する音声データにより構成されている。なお、コンテンツは画像のみ、音声のみのものとしてもよい。また、画像は静止画としてもよい。
【００２７】
［コンテンツ出力システム１００の動作］
次に、コンテンツ出力システム１００の動作について説明する。
図４に、デジタルサイネージ装置１において実行されるコンテンツ出力制御処理のフローチャートを示す。コンテンツ出力制御処理は、デジタルサイネージ装置１が自動起動時刻記憶部２５２に設定されている時刻に自動起動した際に、制御部２３とプログラム記憶部２５１に記憶されているプログラムとの協働により実行される。
【００２８】
ここで、以下の処理における第一時間帯は、デジタルサイネージ装置１の自動起動直後ｍ分間（ｍ＞０）の時間帯であり、第三時間帯は、自動シャットダウン直前ｎ分間（ｎ＞０）の時間帯であり、第二時間帯は、第一時間帯と第三時間帯の間の時間帯である。
【００２９】
まず、制御部２３は、計時部３０から現在時刻を取得して、自動起動直後ｍ分間の第一時間帯（ｍ＞０）が到来したか否かを判断する（ステップＳ１）。
【００３０】
自動起動直後ｍ分間の第一時間帯が到来したと判断した場合（ステップＳ１；ＹＥＳ）、制御部２３は、出力するコンテンツを第一条件に基づいたコンテンツに決定する。具体的には、前日（直前営業日）の第一時間帯〜第三時間帯の売上情報に基づき売上が上位から所定数の商品（売上ランキング）を紹介するコンテンツに決定する（ステップＳ２）。
【００３１】
次いで、制御部２３は、通信部２６によりサーバ装置２に前日の第一時間帯〜第三時間帯の売上ランキングのデータの送信を要求して当該データを取得する（ステップＳ３）。サーバ装置２においては、デジタルサイネージ装置１からの要求に応じて、前日の第一時間帯〜第三時間帯の売上情報に基づいて売上が上位から所定数の商品の売上ランキングのデータを生成し、デジタルサイネージ装置１に送信する。
【００３２】
制御部２３は、取得した売上ランキングのデータに基づいて表示用のコンテンツを生成し、プロジェクタ２４により画像形成部２７に前日の売上ランキングのコンテンツを出力させる（ステップＳ４）。なお、併せて音声出力部３３により音声を出力することとしてもよい。
【００３３】
制御部２３は、所定時間毎に、計時部３０から現在時刻を取得して、第二時間帯が到来したか否かを判断する（ステップＳ５）。第二時間帯が到来したと判断するまで、制御部２３は、売上ランキングのコンテンツの出力を繰り返し実行する。
【００３４】
このように、営業時間の始めに相当する自動起動直後ｍ分間の第一時間帯では、前日の売れ筋商品のランキングの紹介が出力されるので、自動起動直後の時間を効果的に利用して、販売促進につなげることができる。
【００３５】
第二時間帯が到来したと判断した場合（ステップＳ５；ＹＥＳ）、制御部２３は、出力するコンテンツを通常時間帯用コンテンツに決定する（ステップＳ６）。
【００３６】
次いで、制御部２３は、通信部２６によりサーバ装置２に通常時間帯用コンテンツのデータの送信を要求して当該データを取得する（ステップＳ７）。そして、制御部２３は、取得したコンテンツのデータに基づいて、プロジェクタ２４により画像形成部２７に通常時間帯用のコンテンツを出力させる（ステップＳ８）。なお、併せて音声出力部３３により音声を出力することとしてもよい。
なお、通常時間帯用のコンテンツは複数種類存在し、スケジュールに従って、或いは決められた順序で出力される。
【００３７】
制御部２３は、所定時間毎に、計時部３０から現在時刻を取得して、自動シャットダウン直前ｎ分間の第三時間帯が到来したか否かを判断する（ステップＳ９）。自動シャットダウン直前ｎ分間の第三時間帯が到来したと判断するまで、制御部２３は、ステップＳ８のコンテンツの出力を繰り返し実行する。
【００３８】
自動シャットダウン直前ｎ分間の第三時間帯が到来したと判断した場合（ステップＳ９；ＹＥＳ）、制御部２３は、出力するコンテンツを第一条件とは異なる第二条件に基づいたコンテンツに決定する。具体的には、当日の第一時間帯〜第二時間帯の売上情報に基づき売上目標に達していない商品を宣伝するコンテンツに決定する（ステップＳ１０）。
【００３９】
次いで、制御部２３は、通信部２６によりサーバ装置２に当日の第一時間帯〜第二時間帯において売上目標に到達していない商品の宣伝用コンテンツのデータの送信を要求して当該データを取得する（ステップＳ１１）。そして、制御部２３は、取得した宣伝用コンテンツのデータに基づいてプロジェクタ２４により画像形成部２７に当日の売上目標に到達していない商品を宣伝するコンテンツを出力させる（ステップＳ１２）。なお、併せて音声出力部３３により音声を出力することとしてもよい。
【００４０】
制御部２３は、自動シャットダウンされるまで、当日の売上目標に到達していない商品を宣伝するコンテンツの出力を継続させる。
このように、自動シャットダウン直前ｎ分間の第三時間帯では、当日の売上目標に達していない商品の宣伝コンテンツが出力されるので、売上目標に届いていないものの販売促進につなげることができる。また、従業員に対しても、売上目標に達していない商品を認識させ、販売を促進させることができる。
【００４１】
以上説明したように、本実施形態におけるデジタルサイネージ装置１によれば、制御部２３は、自動起動直後ｍ分間の第一時間帯が到来すると、第一時間帯に出力するコンテンツを所定の第一条件に基づいたコンテンツに決定し、決定したコンテンツを画像形成部２７により出力させる。第二時間帯が到来すると、通常時間帯用コンテンツを画像形成部２７により出力させる。自動シャットダウン直前ｎ分間の第三時間帯が到来すると、制御部２３は、第三時間帯に出力するコンテンツを第一条件とは異なる第二条件に基づいたコンテンツに決定し、決定したコンテンツを画像形成部２７により出力させる。
【００４２】
従って、時間帯に応じて条件を変えてコンテンツを出力するので、特定の時間帯を有効に利用した効果的なコンテンツの出力が可能となる。
【００４３】
例えば、第一時間帯に出力するコンテンツを前日の第一時間帯から第三時間帯までの時間帯における売上情報に基づくコンテンツ、具体的には、前日の第一時間帯から第三時間帯までの時間帯における売上が上位から所定数の商品を紹介するコンテンツとすることで、営業時間の始まりの所定時間に販売促進に効果的なコンテンツを出力することが可能となる。
また、例えば、第三時間帯に出力するコンテンツを当日の第一時間帯から第二時間帯までの時間帯における売上情報に基づくコンテンツ、具体的には、当日の第一時間帯から第二時間帯までの時間帯における売上が売上目標より低い商品を宣伝するコンテンツとすることで、営業時間の終わりの所定時間に、当日の売上目標に到達していない商品の販売促進に効果的なコンテンツを出力することが可能となる。
【００４４】
なお、上記実施形態における記述内容は、本発明に係るコンテンツ出力システム及びデジタルサイネージ装置の好適な一例であり、これに限定されるものではない。
【００４５】
例えば、上記実施形態においては、通常時間帯用コンテンツや商品毎の宣伝用コンテンツのデータをサーバ装置２で記憶しておき、サーバ装置２からデジタルサイネージ装置１に送信してコンテンツを出力することとして説明したが、デジタルサイネージ装置１で通常時間帯用コンテンツや商品毎の宣伝用コンテンツのデータを記憶しておくこととしてもよい。
【００４６】
また、上記実施形態においては、画像形成部２７が人型である場合を例にとり説明したが、他の形状としてもよく、これに限定されるものではない。
【００４７】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置を有するコンテンツ出力装置に適用しても同様の効果を奏することができ、この例に限定されない。
【００４８】
その他、デジタルサイネージ装置の細部構成及び細部動作に関しても、発明の趣旨を逸脱することのない範囲で適宜変更可能である。
【００４９】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
予め定められた第一時間帯と、前記第一時間帯よりも後の予め定められた第三時間帯と、前記第一時間帯と前記第三時間帯の間の第二時間帯と、からなる時間帯にコンテンツを出力する出力手段と、
前記第一時間帯に出力するコンテンツを所定の第一条件に基づいたコンテンツに決定する第一決定手段と、
前記第三時間帯に出力するコンテンツを前記第一条件とは異なる第二条件に基づいたコンテンツに決定する第二決定手段と、
前記第一決定手段による決定及び前記第二決定手段による決定に基づいて、前記出力手段により出力するコンテンツを制御する制御手段と、
を備えるコンテンツ出力装置。
＜請求項２＞
前記第一条件に基づいたコンテンツは、前日の前記第一時間帯から前記第三時間帯までの時間帯における売上情報に基づくコンテンツであり、
前記第二条件に基づいたコンテンツは、当日の前記第一時間帯から前記第二時間帯までの時間帯における売上情報に基づくコンテンツである請求項１に記載のコンテンツ出力装置。
＜請求項３＞
前記第一条件に基づいたコンテンツは、前日の前記第一時間帯から前記第三時間帯までの時間帯における売上が上位から所定数の商品に係るコンテンツであり、
前記第二条件に基づいたコンテンツは、当日の前記第一時間帯から前記第二時間帯までの時間帯における売上が売上目標より低い商品に係るコンテンツである、請求項２に記載のコンテンツ出力装置。
＜請求項４＞
前記第一時間帯は、前記コンテンツ出力装置の起動直後の予め定められた時間であり、前記第三時間帯は、前記コンテンツ出力装置のシャットダウン直前の予め定められた時間であり、前記第二時間は、前記第一時間帯と前記第二時間帯の間の時間である請求項１〜３の何れか一項に記載のコンテンツ出力装置。
＜請求項５＞
予め定められた第一時間帯と、前記第一時間帯よりも後の予め定められた第三時間帯と、前記第一時間帯と前記第三時間帯の間の第二時間帯と、からなる時間帯にコンテンツを出力する出力手段に対するコンテンツ出力制御方法であって、
前記第一時間帯に出力するコンテンツを所定の第一条件に基づいたコンテンツに決定する工程と、
前記出力手段において前記第三時間帯に出力するコンテンツを前記第一条件とは異なる第二条件に基づいたコンテンツに決定する工程と、
前記第一決定手段による決定及び前記第二決定手段による決定に基づいて、前記出力手段により出力するコンテンツを制御する工程と、
を含むコンテンツ出力制御方法。
＜請求項６＞
コンピュータを、
予め定められた第一時間帯と、前記第一時間帯よりも後の予め定められた第三時間帯と、前記第一時間帯と前記第三時間帯の間の第二時間帯と、からなる時間帯にコンテンツを出力する出力手段、
前記第一時間帯に出力するコンテンツを所定の第一条件に基づいたコンテンツに決定する第一決定手段、
前記第三時間帯に出力するコンテンツを前記第一条件とは異なる第二条件に基づいたコンテンツに決定する第二決定手段、
前記第一決定手段による決定及び前記第二決定手段による決定に基づいて、前記出力手段により出力するコンテンツを制御する制御手段、
として機能させるためのプログラム。
【符号の説明】
【００５０】
１００  コンテンツ出力システム
１  デジタルサイネージ装置
２１  投影部
２２  スクリーン部
２３  制御部
２４  プロジェクタ
２５  記憶部
２５１  プログラム記憶部
２５２  自動起動時刻記憶部
２５３  自動シャットダウン時刻記憶部
２６  通信部
２７  画像形成部
２８  台座
２９  透光板
３０  計時部
３２  操作部
３３  音声出力部
２  サーバ装置
【図１】
2016063384.tif 000003
【図２】
2016063384.tif 000004
【図３】
2016063384.tif 000005
【図４】
2016063384.tif 000006